(57)【特許請求の範囲】
【請求項１】
プリント基板と、アンテナパターンと、信号フィードイン点とを含むプリントアンテナであり、前記アンテナパターンは前記プリント基板の前面上にプリントされており、前記アンテナパターンは、第１のアンテナパターンと、第２のアンテナパターンと、第３のアンテナパターンとを含む、プリントアンテナであって、
前記信号フィードイン点は前記第２のアンテナパターンに接続されており、
前記第１のアンテナパターンの、前記プリント基板の縁部に沿ってレイアウトされている辺の一方の端部が、前記第２のアンテナパターンに接続されており、
前記第２のアンテナパターンは、前記プリント基板の縁部に平行に、垂直にレイアウトされており、前記第２のアンテナパターンと前記第１のアンテナパターンとは非閉鎖矩形を形成しており、且つ前記非閉鎖矩形の３辺は第１のアンテナパターンで構成され、残りの１辺は第２のアンテナパターンで構成されており、
前記第３のアンテナパターンは第１の部分と第２の部分とを含み、前記第３のアンテナパターンの前記第１の部分の一方の端部が前記第１のアンテナパターンに別に接続されており、前記第３のアンテナパターンの前記第２の部分の一方の端部が前記第２のアンテナパターンに別に接続されており、前記第１の部分と前記第２の部分とは、前記非閉鎖矩形内に平行に配置されており、且つ互いに直接接続されていないことを特徴とする、
プリントアンテナ。
【請求項２】
前記プリントアンテナは溶接デバイスをさらに含み、
前記第１の部分の一方の端部が前記第１のアンテナパターンに接続されていることは、具体的には、前記第１の部分の一方の端部が前記溶接デバイスを使用することにより前記第１のアンテナパターンに接続されていること、および／または
前記第２の部分の一方の端部が前記第２のアンテナパターンに接続されていることは、具体的には、前記第２の部分の一方の端部が前記溶接デバイスを使用することにより前記第２のアンテナパターンに接続されていること
である、請求項１に記載のプリントアンテナ。
【請求項３】
前記第３のアンテナパターンの前記第１の部分は少なくとも２つの構成要素を含み、前記少なくとも２つの構成要素は、前記溶接デバイスを使用することにより接続されており、かつ／または
前記第３のアンテナパターンの前記第２の部分は少なくとも２つの構成要素を含み、前記少なくとも２つの構成要素は、前記溶接デバイスを使用することにより接続されている、
請求項１または２に記載のプリントアンテナ。
【請求項４】
前記第３のアンテナの前記第１の部分は、幅、長さ、形状、または数量を含み、前記第１の部分の前記幅、前記長さ、前記形状、または前記数量は、固定値に設定され、かつ／または前記第３のアンテナパターンの前記第２の部分は、幅、長さ、形状、または数量を含み、前記第２の部分の前記幅、前記長さ、前記形状、または前記数量は、固定値に設定される、請求項１から３のいずれか一項に記載のプリントアンテナ。
【請求項５】
前記第１のアンテナパターンは前記第１のアンテナパターンの幅および長さを含み、前記第１のアンテナパターンの前記幅および前記長さは固定値に設定される、請求項１に記載のプリントアンテナ。
【請求項６】
前記第２のアンテナパターンは前記第２のアンテナパターンの幅および長さを含み、前記第２のアンテナパターンの前記幅および前記長さは固定値に設定される、請求項１に記載のプリントアンテナ。
【請求項７】
前記溶接デバイスは、下記すなわちコンデンサ、インダクタ、またはレジスタのうちの少なくとも１つを含む、請求項２または３に記載のプリントアンテナ。
【請求項８】
請求項１から７のいずれか一項に記載の少なくとも１つのプリントアンテナと、通信モジュールと
を含む、端末デバイスであって、
前記通信モジュールは、前記プリントアンテナを使用することにより無線ネットワークにアクセスするように構成されている、
端末デバイス。
【請求項９】
前記端末デバイスは少なくとも２つのプリントアンテナを含み、第１のプリントアンテナが前記端末デバイスの一次アンテナであり、第２のプリントアンテナが前記端末デバイスの二次アンテナであり、
前記第２のプリントアンテナは前記端末デバイスのダイバーシティアンテナであり、前記第１のプリントアンテナと共に信号のダイバーシティ受信を実施する、請求項８に記載の端末デバイス。
【請求項１０】
前記端末デバイスは、具体的には、データカード、無線ネットワークインターフェースカード、モデム、携帯電話機、インターネットサーフィンする機能を有する携帯用コンピュータ、または無線通信を実施することができるデバイスである、請求項８または９に記載の端末デバイス。
【発明の詳細な説明】
【技術分野】
【０００１】
本願は、その全体が参照により本明細書に援用されている、２０１３年７月３１日に中国特許庁に出願された、「ＰＲＩＮＴＥＤ  ＡＮＴＥＮＮＡ  ＡＮＤ  ＴＥＲＭＩＮＡＬ  ＤＥＶＩＣＥ」という名称の、中国特許出願第２０１３１０３２９２８８．２号の優先権を主張するものである。
【０００２】
本発明は、無線通信技術の分野に関し、詳細には、プリントアンテナおよび端末デバイスに関する。
【背景技術】
【０００３】
移動通信技術の急速な発展に伴って、端末製品の機能が益々多様化しており、製品寸法が小型である傾向があることにより、端末用アンテナに、より厳しくかつより厳密な要件が課されている。現在、ロングタームエボリューション（ＬＴＥ：Ｌｏｎｇ  Ｔｅｒｍ  Ｅｖｏｌｕｔｉｏｎ）製品が徐々に商業利用されてきており、また、いくつかの端末製品は、ＬＴＥ周波数帯域をサポートすることが求められている。ＬＴＥ周波数帯域の帯域幅が、第２世代（２Ｇ：２ｎｄ  Ｇｅｎｅｒａｔｉｏｎ、第２世代移動通信技術）周波数帯域の帯域幅および第３世代（３Ｇ：３ｒｄ  Ｇｅｎｅｒａｔｉｏｎ、第３世代移動通信技術）周波数帯域の帯域幅よりずっと広いため、ＬＴＥ周波数帯域（６９８ＭＨｚから９６０ＭＨｚまで、１７１０ＭＨｚから２６９０ＭＨｚまで）により、アンテナの帯域幅に新しい要件が課されている。従来のアンテナは十分な帯域幅の要件を満たすことができない。さらに、ＬＴＥ通信がアンテナに極めて高い要件を課すため、アンテナ効率（アンテナに入力される有効電力に対するアンテナにより輻射される電力の比、ここで当該比の数値は常に１未満である）は、低過ぎてはならない（６９８ＭＨｚから９６０ＭＨｚの周波数帯域で少なくとも３５％より高く、１７１０ＭＨｚから２６９０ＭＨｚの周波数帯域で少なくとも４５％より高い）。
【０００４】
先行技術では、端末用アンテナの構造が図１に示されており、そこでは、１０１がプリント基板（ＰＣＢ：Ｐｒｉｎｔｅｄ  Ｃｉｒｃｕｉｔ  Ｂｏａｒｄ）であり、１０２がアンテナパターンであり、１０３が信号フィードイン点（ｓｉｇｎａｌ  ｆｅｅｄ−ｉｎ  ｐｏｉｎｔ）である。信号フィードイン点は、アンテナの接続点であり、信号をフィードインするかまたはフィードアウトする無線周波数回路の接続点である。アンテナのサイズは、ＰＣＢ上にアンテナをプリントすることによりさらに縮小されるが、アンテナの電力は低く、帯域幅は狭い。さらに、アンテナを備えた無線周波数回路が、整合回路を付加することにより、高周波数および低周波数の二重共鳴を実施しなければならず、それにより共鳴点が拡大する可能性があるが、アンテナの効率を高めることができず、また、帯域幅の改善を制限する。
【発明の概要】
【発明が解決しようとする課題】
【０００５】
このことに鑑み、本発明の目的は、プリントアンテナおよび端末デバイスを提供することであり、その結果、インダクタまたはコンデンサなどの外部デバイスが接続されて整合を実施することを必要としない場合、アンテナの帯域幅が現行のＬＴＥ全周波数帯域の要件を満たし、特にアンテナの低周波数帯域幅を広げる。さらに、高周波数帯域におけるアンテナの効率が改善される。
【課題を解決するための手段】
【０００６】
第１の態様によれば、プリントアンテナが提供され、当該プリントアンテナは、プリント基板と、アンテナパターンと、信号フィードイン点とを含み、当該アンテナパターンはプリント基板の前面上にプリントされており、アンテナパターンは、第１のアンテナパターンと、第２のアンテナパターンと、第３のアンテナパターンとを含み、信号フィードイン点は第２のアンテナパターンに接続されており、第１のアンテナパターンの、プリント基板の縁部に沿ってレイアウトされている辺の一方の端部が、第２のアンテナパターンに接続されており、第２のアンテナパターンは、プリント基板の縁部に平行に、垂直にレイアウトされており、第２のアンテナパターンと第１のアンテナパターンとは非閉鎖矩形を形成しており、第３のアンテナパターンは第１の部分と第２の部分とを含み、第３のアンテナパターンの第１の部分の一方の端部は、第１のアンテナパターンに接続されており、第３のアンテナパターンの第２の部分の一方の端部は第２のアンテナパターンに接続されており、第１の部分と第２の部分とは、非閉鎖矩形内に平行に配置されている。
【０００７】
第１の態様の第１の可能な実施方法では、プリントアンテナは溶接デバイスをさらに含み、第１の部分の一方の端部が第１のアンテナパターンに接続されていることが、具体的には第１の部分の一方の端部が溶接デバイスを使用することにより第１のアンテナパターンに接続されているということであり、かつ／または第２の部分の一方の端部が第２のアンテナパターンに接続されていることが、具体的には第２の部分の一方の端部が溶接デバイスを使用することにより第２のアンテナパターンに接続されているということである。
【０００８】
第１の態様、または第１の態様の第１の可能な実施方法を参照して、第２の可能な実施方法では、第３のアンテナパターンの第１の部分は少なくとも２つの構成要素を含み、当該少なくとも２つの構成要素は溶接デバイスを使用することにより接続されており、かつ／または第３のアンテナパターンの第２の部分は少なくとも２つの構成要素を含み、当該少なくとも２つの構成要素は、溶接デバイスを使用することにより接続されている。
【０００９】
第１の態様、または前述の可能な実施方法のどちらかを参照して、第３の可能な実施方法では、第３のアンテナパターンの第１の部分は幅、長さ、形状、または数量を含み、当該第１の部分の幅、長さ、形状、または数量は固定値に設定されてもよく、かつ／または第３のアンテナパターンの第２の部分は幅、長さ、形状、または数量を含み、当該第２の部分の幅、長さ、形状、または数量は固定値に設定されてもよい。
【００１０】
第１の態様の第４の可能な実施方法では、第１のアンテナパターンは第１のアンテナパターンの幅と長さとを含み、当該第１のアンテナパターンの幅および長さは固定値に設定されてもよい。
【００１１】
第１の態様の第５の可能な実施方法では、第２のアンテナパターンは、第２のアンテナパターンの幅と長さとを含み、当該第２のアンテナパターンの幅および長さは固定値に設定されてもよい。
【００１２】
第１の態様の第１の可能な実施方法、または第１の態様の第２の可能な実施方法を参照して、第１の態様の第６の可能な実施方法では、溶接デバイスには、下記すなわちコンデンサ、インダクタ、またはレジスタのうちの少なくとも１つが含まれる。
【００１３】
第２の態様によれば、端末デバイスが提供され、当該端末デバイスは、第１の態様および前述の可能な実施方法の任意の１つによる少なくとも１つのプリントアンテナと、通信モジュールとを含み、当該通信モジュールは、プリントアンテナを使用することにより無線ネットワークにアクセスするように構成されている。
【００１４】
第１の可能な実施方法では、端末デバイスは、少なく２つのプリントアンテナを含み、第１のプリントアンテナは端末デバイスの一次アンテナであり、第２のプリントアンテナは端末デバイスの二次アンテナであり、第２のプリントアンテナは端末デバイスのダイバーシティアンテナであり、第１のプリントアンテナと共に、信号のダイバーシティ受信を実施する。
【００１５】
第２の態様、または第２の態様の第１の可能な実施方法を参照して、第２の可能な実施方法では、端末デバイスは、具体的にはデータカード、無線ネットワークインターフェースカード、モデム、携帯電話機、インターネットサーフィンする機能を有する携帯用コンピュータ、または無線通信を実施することができるデバイスである。
【００１６】
前述の技術的解決法に基づいて、整合回路が付加される必要がない場合にプリントアンテナの帯域幅が現行のＬＴＥ全周波数帯域の要件を満たし、特にアンテナの低周波数帯域幅が広げられることにより、高周波数帯域幅が広過ぎるという問題を解決し、それと同時に全周波数帯域においてアンテナの効率を改善することが実施される。さらに、プリントアンテナはプリント基板上にプリントされており、整合デバイスを全くまたは殆ど必要とせず、それによりコストを効果的に低減する。
【００１７】
本発明の実施形態において技術的解決法をより明確に記載するために、下記は、本発明の実施形態を記載するために必要な添付図面を簡潔に紹介している。明らかに、以下の記載における添付図面は単にいくつかの実施形態を示しているに過ぎず、当業者は、創造的努力をすることなく、これら添付図面から他の図面をさらに引き出すことができる。
【図面の簡単な説明】
【００１８】
【図１】先行技術におけるプリントアンテナの概略構造図である。
【図２】本発明の実施形態によるプリントアンテナの概略構造図である。
【図３】本発明の実施形態において測定されたプリントアンテナのスミスチャート（Ｓｍｉｔｈ  ｃｈａｒｔ）である。
【図４】本発明の別の実施形態によるプリントアンテナの概略構造図である。
【図５】本発明のさらに別の実施形態によるプリントアンテナの概略構造図である。
【図６】本発明の実施形態による端末デバイスの概略構造図である。
【図７】本発明の別の実施形態による端末デバイスの概略構造図である。
【発明を実施するための形態】
【００１９】
下記は、本発明の実施形態における添付図面を参照して、本発明の実施形態の技術的解決法を明確に完全に記載している。明らかに、記載されている実施形態は、本発明の実施形態の全部ではなく一部である。創造的努力をすることなく、本発明の実施形態に基づいて当業者により得られる全ての他の実施形態が、本発明の保護範囲内に入るものとする。
【００２０】
現在、無線通信技術では、プリントアンテナが使用されて通信を実施する。しかし、高周波数および低周波数の二重共鳴を実施するために、整合回路が付加される必要がある。結果として、アンテナのサイズを縮小することができず、さらに、プリントアンテナの低周波数帯域幅がＬＴＥ通信要件を満たすことができないことにより、アンテナの低効率につながる。本発明の実施形態が、現行のＬＴＥ全周波数帯域の要件を満たすことができるプリントアンテナを提供する。特に、アンテナの低周波数帯域幅が広げられることにより、高周波数帯域幅が広過ぎるという問題を解決し、それと同時に、全周波数帯域におけるアンテナの効率を改善する。さらに、プリントアンテナはプリント基板上にプリントされており、整合デバイスを全くまたは殆ど必要とせず、それによりコストを効果的に低減する。
【００２１】
図２は、本発明の実施形態によるプリントアンテナの概略構造図である。図２に示されている通り、プリントアンテナは、プリント基板２０１と、アンテナパターンと、信号フィードイン点２０２とを含み、アンテナパターンはプリント基板２０１の前面上にプリントされている。
【００２２】
アンテナパターンは、第１のアンテナパターン２０３と、第２のアンテナパターン２０４と、第３のアンテナパターン２０５とを含む。
【００２３】
信号フィードイン点２０２は第２のアンテナパターン２０４に接続されている。
【００２４】
第１のアンテナパターン２０３の、プリント基板２０１の縁部に沿ってレイアウトされている辺の一方の端部が、第２のアンテナパターン２０４に接続されている。
【００２５】
第２のアンテナパターン２０４は、プリント基板２０１の縁部に平行に、垂直にレイアウトされており、第２のアンテナパターン２０４と第１のアンテナパターン２０３とは非閉鎖矩形を形成している。
【００２６】
第３のアンテナパターン２０５は、第１の部分２０５１と第２の部分２０５２とを含み、第３のアンテナパターン２０５の第１の部分２０５１の一方の端部が第１のアンテナパターン２０３に接続されており、第３のアンテナパターン２０５の第２の部分２０５２の一方の端部が第２のアンテナパターン２０４に接続されており、第１の部分２０５１と第２の部分２０５２とは、非閉鎖矩形内に平行に配置されている。
【００２７】
本発明の本実施形態では、第１のアンテナパターン２０３の一辺が、プリント基板２０１の縁部に沿ってレイアウトされており、アンテナパターン２０３の他の辺が、プリント基板２０１の金属グラウンドを囲むようにレイアウトされている。信号フィードイン点２０２は第２のアンテナパターン２０４に接続されており、プリント基板２０１の縁部付近に配設されている。電磁結合が第１のアンテナパターン２０３とプリント基板２０１の金属グラウンドとの間に作り出されており、アンテナ輻射帯域幅の低周波数帯域が生成される。特定の低周波数帯域が６９８ＭＨｚから９６０ＭＨｚまでであってもよい。第１のアンテナパターン２０３の長さが設定されてもよく、また、第１のアンテナパターン２０３とプリント基板２０１との間の間隙の幅が設定されてもよい。
【００２８】
第２のアンテナパターン２０４は、プリント基板２０１の縁部に平行に、垂直にレイアウトされており、第１のアンテナパターン２０３の、プリント基板２０１の縁部に沿ってレイアウトされている辺の一方の端部が、第２のアンテナパターン２０４に接続されており、第２のアンテナパターン２０４と第１のアンテナパターン２０３とは非閉鎖矩形を形成している。第２のアンテナパターン２０４は、輻射によりアンテナ輻射帯域幅の高周波数帯域を生成し、特定の高周波数帯域が２ＧＨｚから３ＧＨｚまでであってもよい。第２のアンテナパターン２０４の長さが設定されてもよく、また、第２のアンテナパターン２０４とプリント基板２０１との間の間隙の幅が設定されてもよい。
【００２９】
第３のアンテナパターン２０５は第１の部分２０５１と第２の部分２０５２とを含み、第１の部分２０５１の一方の端部が第１のアンテナパターン２０３に接続されており、第２の部分２０５２の一方の端部が第２のアンテナパターン２０４に接続されており、第１の部分２０５１と第２の部分２０５２とは非閉鎖矩形内に平行に配置されている。第２の部分２０５２の輻射および第１の部分２０５１と第２の部分２０５２との間の相互結合により、第３のアンテナパターン２０５の、平行に交互に配置されている第１の部分２０５１と第２の部分２０５２とは、アンテナ輻射帯域幅の高周波数帯域を生成し、具体的には高周波数帯域は１．７１ＧＨｚから２．１７ＧＨｚまでであってもよい。第３のアンテナパターン２０５の第１の部分２０５１の幅、長さ、形状または数量が固定値に設定されてもよく、また、第３のアンテナパターン２０５の第２の部分２０５２の幅、長さ、形状または数量が固定値に設定されてもよい。
【００３０】
本発明の別の実施形態では、プリントアンテナは溶接デバイスをさらに含み、当該溶接デバイスは、下記すなわちインダクタ、コンデンサ、レジスタ等のうちの少なくとも１つを含んでいてもよい。第３のアンテナパターン２０５の第１の部分２０５１の一方の端部が、溶接デバイスを使用することにより第１のアンテナパターン２０３に接続されており、かつ／または第３のアンテナパターン２０５の第２の部分２０５２の一方の端部が、溶接デバイスを使用することにより第２のアンテナパターン２０４に接続されている。
【００３１】
本発明の別の実施形態では、第３のアンテナパターン２０５は第１の部分２０５１と第２の部分２０５２とを含む。第３のアンテナパターン２０５の第１の部分２０５１は少なくとも２つの構成要素を含み、当該少なくとも２つの構成要素は、溶接デバイスを使用することにより接続されており、第３のアンテナパターン２０５の第１の部分２０５１の長さは、溶接デバイスを付加することにより調節されてもよく、かつ／または第３のアンテナパターン２０５の第２の部分２０５２は少なくとも２つの構成要素を含み、当該少なくとも２つの構成要素は、溶接デバイスを使用することにより接続されており、第３のアンテナパターン２０５の第２の部分２０５２の長さは、溶接デバイスを付加することにより調節される。
【００３２】
図３は、本発明の実施形態において測定されたプリントアンテナのスミスチャートであり、スミス（Ｓｍｉｔｈ）チャートは、（符号Γにより示されている）反射係数の極座標チャートであり、反射係数は、１ポート散乱パラメータすなわちＳ１１として定義されてもよい。図３では、垂直座標が反射係数（Ｓ１１）であり、水平座標が周波数である。図３の測定結果から、あるアンテナに関するかつ本発明の本実施形態においてプリントアンテナに基づいて測定される、低周波数帯域および高周波数帯域における散乱曲線が収束すること、および全ての曲線がスミスチャートの中心に接近しているがことが分かる。したがって、それは、本発明の本実施形態では整合回路がプリントアンテナに付加される必要がないこと、ならびにインピーダンス整合の効果および１に近い輻射率が達成され得ることを示す。
【００３３】
Ｔａｂｌｅ  １（表１）は、本発明の本実施形態において実際に測定されたアンテナ効率である。低周波数帯域および高周波数帯域それぞれにおけるアンテナの、本発明の本実施形態に基づいて測定される効率が、Ｔａｂｌｅ  １（表１）に認められる。
【００３４】
【表１】
0005970725.tif 000002
【００３５】
Ｔａｂｌｅ  １（表１）では、低周波数帯域（６９８ＭＨｚから９５０ＭＨｚまで）において測定されたアンテナ効率が３５％より高く、高周波数帯域（１．７１ＧＨｚから２．７ＧＨｚまで）において測定されたアンテナ効率が４５％より高い。
【００３６】
本発明の本実施形態では、帯域幅を拡大することができるプリントアンテナが設計されている。第１のアンテナパターンが第２のアンテナパターンに接続されて、非閉鎖矩形を形成しており、第３のアンテナパターンが、当該非閉鎖矩形内に平行に配置されており、第１のアンテナパターンおよび第２のアンテナパターンに別々に接続されている。プリントアンテナは、（７００ＭＨｚと低い）ＬＴＥ通信の低周波数帯域の要件を満たすことができ、プリントアンテナの効率が、全周波数帯域において効果的に改善される。さらに、プリントアンテナは、製品小型化の要件を満たし、かつコストを効果的に低減するために、端末製品におけるプリントアンテナの集積を容易にする整合デバイスを全くまたは殆ど用いず、ＬＴＥ全周波数帯域の範囲を実施し得る。
【００３７】
図４は、本発明の別の実施形態によるプリントアンテナの概略構造図である。図４に示されている通り、プリントアンテナは、プリント基板４０１と、アンテナパターンと、信号フィードイン点４０２とを含み、アンテナパターンはプリント基板４０１の前面上にプリントされている。
【００３８】
アンテナパターンは、第１のアンテナパターン４０３と、第２のアンテナパターン４０４と、第３のアンテナパターン４０５と、溶接デバイス４０６とを含む。
【００３９】
信号フィードイン点４０２は第２のアンテナパターン４０４に接続されている。
【００４０】
第１のアンテナパターン４０３の、プリント基板４０１の縁部に沿ってレイアウトされている辺の一方の端部が、第２のアンテナパターン４０４に接続されている。
【００４１】
第２のアンテナパターン４０４は、プリント基板４０１の縁部に平行に、垂直にレイアウトされており、第２のアンテナパターン４０４と第１のアンテナパターン４０３とは非閉鎖矩形を形成している。
【００４２】
第３のアンテナパターン４０５は第１の部分４０５１と第２の部分４０５２とを含み、第３のアンテナパターン４０５の第１の部分４０５１の一方の端部が第１のアンテナパターン４０３に接続されており、第３のアンテナパターン４０５の第２の部分４０５２の一方の端部が第２のアンテナパターン４０４に接続されており、第１の部分４０５１と第２の部分４０５２とは、非閉鎖矩形内に平行に配置されている。
【００４３】
溶接デバイス４０６は、下記すなわちインダクタ、コンデンサ、レジスタ等のうちの少なくとも１つを含んでいてもよい。第３のアンテナパターン４０５の第１の部分４０５１の一方の端部が、溶接デバイス４０６を使用することにより第１のアンテナパターン４０３に接続されており、かつ／または第３のアンテナパターン４０５の第２の部分４０５２の一方の端部が、溶接デバイス４０６を使用することにより第２のアンテナパターン４０４に接続されている。いくつかの共鳴周波数の輻射電力を選択的に増大させるために、溶接デバイス４０６を使用して、第１のアンテナパターン４０３を第３のアンテナパターン４０５の第１の部分４０５１に接続すること、および第２のアンテナパターン４０４を第３のアンテナパターン４０５の第２の部分４０５２に接続することにより、第１のアンテナパターン４０３と第３のアンテナパターン４０５の第１の部分４０５１との間の接続点が調節されてもよく、また、第２のアンテナパターン４０４と第３のアンテナパターン４０５の第２の部分４０５２との間の接続点が調節されてもよく、プリントアンテナの高周波数共鳴点が調節されてもよい。
【００４４】
本発明の本実施形態では、帯域幅を拡大することができるプリントアンテナが設計されている。第１のアンテナパターンが第２のアンテナパターンに接続されて、非閉鎖矩形を形成しており、第３のアンテナパターンが、当該非閉鎖矩形内に平行に配置されており、第１のアンテナパターンおよび第２のアンテナパターンに別々に接続されている。プリントアンテナは、（７００ＭＨｚと低い）ＬＴＥ通信の低周波数帯域幅の要件を満たすことができ、プリントアンテナの効率が、全周波数帯域において効果的に改善される。アンテナは、溶接デバイスを使用することにより第３のアンテナパターンの第１の部分および第２の部分の長さおよび位置を調節し、いくつかの周波数の電力を増大するために、高周波数共鳴点が調節されてもよい。さらに、プリントアンテナは、製品小型化の要件を満たし、コストを効果的に低減するために、端末製品におけるプリントアンテナの集積を容易にする整合デバイスを全くまたは殆ど用いず、ＬＴＥ全周波数帯域の範囲を実施し得る。
【００４５】
図５は、本発明のさらに別の実施形態によるプリントアンテナの概略構造図である。図５に示されている通り、プリントアンテナは、プリント基板５０１と、アンテナパターンと、信号フィードイン点５０２とを含み、アンテナパターンはプリント基板５０１の前面上にプリントされている。
【００４６】
アンテナパターンは、第１のアンテナパターン５０３と、第２のアンテナパターン５０４と、第３のアンテナパターン５０５と、溶接デバイス５０６とを含む。
【００４７】
信号フィードイン点５０２は第２のアンテナパターン５０４に接続されている。
【００４８】
第１のアンテナパターン５０３の、プリント基板５０１の縁部に沿ってレイアウトされている辺の一方の端部が、第２のアンテナパターン５０４に接続されている。
【００４９】
第２のアンテナパターン５０４は、プリント基板５０１の縁部に平行に、垂直にレイアウトされており、第２のアンテナパターン５０４と第１のアンテナパターン５０３とは非閉鎖矩形を形成している。
【００５０】
第３のアンテナパターン５０５は第１の部分５０５１と第２の部分５０５２とを含み、第３のアンテナパターン５０５の第１の部分５０５１の一方の端部が第１のアンテナパターン５０３に接続されており、第３のアンテナパターン５０５の第２の部分５０５２の一方の端部が第２のアンテナパターン５０４に接続されており、第１の部分５０５１と第２の部分５０５２とは、非閉鎖矩形内に平行に配置されている。
【００５１】
溶接デバイス５０６は、下記すなわちインダクタ、コンデンサ、レジスタ等のうちの少なくとも１つを含んでいてもよい。第３のアンテナパターン５０５の第１の部分５０５１の一方の端部が、溶接デバイス５０６を使用することにより第１のアンテナパターン５０３に接続されており、かつ／または第３のアンテナパターン５０５の第２の部分５０５２の一方の端部が、溶接デバイス５０６を使用することにより第２のアンテナパターン５０４に接続されている。
【００５２】
第３のアンテナパターン５０５の第１の部分５０５１は第１の構成要素５０５１１と第２の構成要素５０５１２とを含み、第３のアンテナパターン５０５の第１の部分５０５１の第１の構成要素５０５１１は、溶接デバイス５０６を使用することにより第１の部分５０５１の第２の構成要素５０５１２に接続されていてもよく、かつ／または第３のアンテナパターン５０５の第２の部分５０５２は第１の構成要素５０５２１と第２の構成要素５０５２２とを含み、第３のアンテナパターン５０５の第２の部分５０５２の第１の構成要素５０５２１は、溶接デバイス５０６を使用することにより第２の部分５０５２の第２の構成要素５０５２２に接続されていてもよい。
【００５３】
随意に、第３のアンテナパターン５０５の第１の部分５０５１は少なくとも２つの構成要素を含み、当該少なくとも２つの構成要素は、第３のアンテナパターン５０５の第１の部分５０５１の長さを調節するために、溶接デバイス５０６を使用することにより接続されている。
【００５４】
随意に、第３のアンテナパターン５０５の第２の部分５０５２は少なくとも２つの構成要素を含み、当該少なくとも２つの構成要素は、第３のアンテナパターン５０５の第２の部分５０５２の長さを調節するために、溶接デバイス５０６を使用することにより接続されている。
【００５５】
いくつかの共鳴周波数の輻射電力を選択的に増大させるために、溶接デバイス５０６を使用して、第１のアンテナパターン５０３を第３のアンテナパターン５０５の第１の部分５０５１に接続すること、第２のアンテナパターン５０４を第３のアンテナパターン５０５の第２の部分５０５２に接続すること、第３のアンテナパターン５０５の第１の部分５０５１の第１の構成要素５０５１１を第２の構成要素５０５１２に接続すること、および第３のアンテナパターン５０５の第２の部分５０５２の第１の構成要素５０５２１を第２の構成要素５０５２２に接続することにより、プリントアンテナの高周波数共鳴点が調節されてもよい。
【００５６】
本発明の本実施形態では、帯域幅を拡大することができるプリントアンテナが設計されている。第１のアンテナパターンの３つの辺と第２のアンテナパターンとが非閉鎖矩形を形成しており、第３のアンテナパターンの２つの部分が平行に交互に配置されており、第１のアンテナパターンおよび第２のアンテナパターンに別々に接続されている。プリントアンテナは、（７００ＭＨｚと低い）ＬＴＥ通信の低周波数帯域幅の要件を満たすことができ、プリントアンテナの効率が、全周波数帯域において効果的に改善される。アンテナは、溶接デバイスを使用することにより、第３のアンテナパターンの、平行に交互に配置されているパターンの位置を調節し、いくつかの周波数の電力を増大させるために、高周波数共鳴点が調節されてもよい。さらに、プリントアンテナは、製品小型化要件を満たし、コストを効果的に低減するために、端末製品におけるプリントアンテナの集積を容易にする整合デバイスを全くまたは殆ど用いず、ＬＴＥ全周波数帯域の範囲を実施し得る。
【００５７】
図６は、本発明の実施形態による端末デバイスの概略構造図である。図６に示されている通り、端末デバイス６０は、少なくとも１つのプリントアンテナ６０１と、通信モジュール６０２とを含む。
【００５８】
プリントアンテナ６０１は、プリント基板と、アンテナパターンと、信号フィードイン点とを含み、アンテナパターンはプリント基板の前面上にプリントされており、当該アンテナパターンは、第１のアンテナパターンと、第２のアンテナパターンと、第３のアンテナパターンとを含み、信号フィードイン点は第２のアンテナパターンに接続されており、第１のアンテナパターンの、プリント基板の縁部に沿ってレイアウトされている辺の一方の端部が、第２のアンテナパターンに接続されており、第２のアンテナパターンは、プリント基板の縁部に対して平行に、垂直にレイアウトされており、第２のアンテナパターンと第１のアンテナパターンとは非閉鎖矩形を形成しており、第３のアンテナパターンは第１の部分と第２の部分とを含み、第３のアンテナパターンの第１の部分の一方の端部が第１のアンテナパターンに接続されており、第３のアンテナパターンの第２の部分の一方の端部が第２のアンテナパターンに接続されており、第１の部分と第２の部分とは、非閉鎖矩形内に平行に配置されている。
【００５９】
通信モジュール６０２は、プリントアンテナを使用することにより無線ネットワークにアクセスするように構成されている。
【００６０】
図７は、本発明の別の実施形態による端末デバイスの概略構造図である。図７に示されている通り、本発明の当該別の実施形態では、端末デバイスは少なくとも２つのプリントアンテナを含み、第１のプリントアンテナ６０１１は端末デバイス６０の一次アンテナであり、第２のプリントアンテナ６０１２は端末デバイス６０の二次アンテナであり、第２のプリントアンテナ６０１２は端末デバイス６０のダイバーシティアンテナであり、第１のプリントアンテナと共に信号のダイバーシティ受信を実施する。
【００６１】
端末デバイス６０は、下記すなわちデータカード、無線ネットワークインターフェースカード、モデム、携帯電話機、インターネットサーフィンする機能を有する携帯用コンピュータ、または無線通信を実施することができるデバイスのうちの少なくとも１つを含んでいてもよい。さらに、また、プリントアンテナ６０１は、ブルートゥース（Ｂｌｕｅｔｏｏｔｈ（登録商標））、ワイファイ（ＷＩＦＩ：Ｗｉｒｅｌｅｓｓ  Ｆｉｄｅｌｉｔｙ、ワイヤレスフィデリティ）、全地球測位システム（ＧＰＳ：Ｇｌｏｂａｌ  Ｐｏｓｉｔｉｏｎｉｎｇ  Ｓｙｓｔｅｍ、グローバル・ポジショニング・システム）などの機能を実施するように構成されていてもよい。
【００６２】
本発明の本実施形態では、帯域幅を拡大することができるプリントアンテナが設計されている。第１のアンテナパターンが第２のアンテナパターンに接続されて、非閉鎖矩形を形成しており、第３のアンテナパターンが当該非閉鎖矩形内に平行に配置されており、第１のアンテナパターンおよび第２のアンテナパターンに別々に接続されている。プリントアンテナは、（７００ＭＨｚと低い）ＬＴＥ通信の低周波数帯域幅の要件を満たすことができ、プリントアンテナの効率が、全周波数帯域において効果的に改善される。アンテナは、溶接デバイスを使用することにより、第３のアンテナパターンの、平行に交互に配置されているパターンの位置を調節し、いくつかの周波数の電力を増大させるために、高周波数共鳴点が調節されてもよい。さらに、プリントアンテナは、製品小型化要件を満たし、コストを効果的に低減するために、端末製品におけるプリントアンテナの集積を容易にする整合デバイスを全くまたは殆ど用いず、ＬＴＥ全周波数帯域の範囲を実施し得る。
【００６３】
本明細書において開示されている実施形態に記載されている例と組み合わせて、ユニットおよびアルゴリズムステップが、コンピュータソフトウェアとエレクトロニクスハードウェアとの組合せにより実施されてもよいことを、当業者は分かっているであろう。ハードウェアまたはソフトウェアにより機能が実施されるかどうかは、技術的解決法の特定の用途および設計制約条件次第である。当業者は、各特定の用途のための記載されている機能を実施する様々な方法を使用してもよいが、当該実施が本発明の範囲を越えると見なすべきではない。
【００６４】
都合のよい簡潔な記載のために、前述の装置およびユニットの詳細な動作プロセスに関して、前述の方法の実施形態における対応するプロセスが参照されてもよいこと、および本明細書において詳細が再度記載されないことが、当業者により明確に理解されるであろう。
【００６５】
本願において提供されているいくつかの実施形態では、開示されているサーバおよび方法が他の方法で実施されてもよいことを理解すべきである。例えば、記載されているサーバ実施形態は例示的なものに過ぎない。例えば、ユニット部分は論理機能部分に過ぎず、実際の実施において他の部分であってもよい。例えば、複数のユニットまたは構成要素が別のシステムに組み合わせられるかもしくは統合されてもよく、またはいくつかの特徴が無視されるかもしくは実施されなくてもよい。さらに、表示されたもしくは検討された相互結合または直接結合もしくは通信接続は、いくつかのインターフェースにより実施されてもよい。装置またはユニット間の間接結合または通信接続は、電子的形態、機械的形態、または他の形態で実施されてもよい。
【００６６】
別個の部分として記載されているユニットは、物理的に別個であってもよいかまたはそうでなくてもよく、ユニットとして表示されている部分は、物理的ユニットであってもよいかもしくはそうでなくてもよく、または１つの位置にあってもよく、または複数のネットワークユニット上に分配されていてもよい。当該ユニットの一部または全部が、実際のニーズに従って選択されて、本発明の実施形態の解決法の目的を達成してもよい。
【００６７】
さらに、本発明の本実施形態における機能ユニットが、１つの処理ユニットに統合されていてもよいか、もしくはユニットの各々が物理的に単独で存在していてもよく、または２つ以上のユニットが１つのユニットに統合されている。
【００６８】
方法実施形態のステップの全部または一部が関連ハードウェアに命令するプログラムにより実施されてもよいことを、当業者は理解するであろう。当該プログラムはコンピュータ可読記憶媒体に格納されていてもよい。プログラムが作動すると、方法実施形態のステップは実施される。前述の記憶媒体には、ＲＯＭ、ＲＡＭ、磁気ディスク、または光ディスクなどの、プログラムコードを格納することができる任意の媒体が含まれる。
【００６９】
前述の記載は本発明の特定の実施に過ぎないが、本発明の保護範囲を制限することを意図していない。本発明において開示されている技術的範囲内で当業者により容易に理解される任意の変形形態または代替形態が、本発明の保護範囲内に入るものとする。したがって、本発明の保護範囲は、特許請求の範囲の保護範囲に従うものとする。
【符号の説明】
【００７０】
６０  端末デバイス
２０１、４０１、５０１  プリント基板
２０２、４０２、５０２  信号フィードイン点
２０３、４０３、５０３  第１のアンテナパターン
２０４、４０４、５０４  第２のアンテナパターン
２０５、４０５、５０５  第３のアンテナパターン
４０６、５０６  溶接デバイス
６０１  プリントアンテナ
６０２  通信モジュール
２０５１、４０５１、５０５１  （第３のアンテナパターンの）第１の部分
２０５２、４０５２、５０５２  （第３のアンテナパターンの）第２の部分
６０１１  第１のプリントアンテナ
６０１２  第２のプリントアンテナ
５０５１１  （第３のアンテナパターンの第１の部分の）第１の構成要素
５０５１２  （第３のアンテナパターンの第１の部分の）第２の構成要素
５０５２１  （第３のアンテナパターンの第２の部分の）第１の構成要素
５０５２２  （第３のアンテナパターンの第２の部分の）第２の構成要素
Ｓ１１、Γ  反射係数
【図１】
0005970725.tif 000003
【図２】
0005970725.tif 000004
【図３】
0005970725.tif 000005
【図４】
0005970725.tif 000006
【図５】
0005970725.tif 000007
【図６】
0005970725.tif 000008
【図７】
0005970725.tif 000009